(57)【要約】【課題】センサから送出されるアナログデータがノイズの影響を受けることを低減でき、更に、センサと信号処理部との間の距離を長くすることができ、加えて、センサの交換を容易に行うことができる照射器具を提供する。【解決手段】光源１１と、光源１１の照射強度を測定して測定結果のアナログデータを送出するセンサ２と、一端がセンサ２に挿抜自在に挿着される第一の接続ケーブル３と、第一の接続ケーブル３の他端が挿抜自在に挿着されて第一の接続ケーブル３を介してアナログデータを受信し、アナログデータをＡ／Ｄ変換してデジタルデータを送出するアンプ４と、一端がアンプ４に挿抜自在に挿着される第二の接続ケーブル５と、第二の接続ケーブル５の他端が挿抜自在に挿着され、第二の接続ケーブル５を介してデジタルデータを受信する信号処理部６とを備える。【選択図】図１
2011114498.tif 000002
【特許請求の範囲】
【請求項１】
光源と、
光源の照射強度を測定して測定結果のアナログデータを送出するセンサと、
一端がセンサに接続される第一の接続ケーブルと、
第一の接続ケーブルの他端が接続されて第一の接続ケーブルを介してアナログデータを受信し、当該アナログデータをＡ／Ｄ変換してデジタルデータを送出するデータ変換手段と、
一端がデータ変換手段に接続される第二の接続ケーブルと、
第二の接続ケーブルの他端が接続され、第二の接続ケーブルを介してデジタルデータを受信する信号処理部とを備え、
前記データ交換手段に設けられて第一の接続ケーブルの他端が挿抜自在に挿着される第一のコネクタと、前記データ交換手段に設けられて第二の接続ケーブルの一端が挿抜自在に挿着される第二のコネクタと、前記信号処理部に設けられて第二の接続ケーブルの他端が挿抜自在に挿着される第三のコネクタとの内、少なくともいずれか１つが設けられることを特徴とする照射器具。
【請求項２】
前記光源は、紫外線を照射し、前記信号処理部は、受信するデジタルデータに基づいて光源の紫外線照射強度を制御する制御部を有することを特徴とする請求項１記載の照射器具。
【発明の詳細な説明】
【技術分野】
【０００１】
本発明は、照射器具に関するものである。
【背景技術】
【０００２】
従来から、紫外線硬化樹脂や、塗料等が塗布された被照射部に対して紫外線を照射することで、前記紫外線硬化樹脂や塗料等を硬化させるための照射装置が知られている。そして、上記印刷機によって印刷が施された印刷媒体に対して、紫外線を照射することで印刷媒体に付着したＵＶインクを硬化させる照射器具が提供されている（例えば特許文献１参照）。
【０００３】
上記照射器具は、紫外線を照射する光源、及び光源から照射される紫外線の照射強度を測定して当該測定結果のアナログデータを送出するセンサと、一端がセンサに接続される接続ケーブルと、接続ケーブルの他端が接続されて接続ケーブルを介してセンサからアナログデータを受信し、当該アナログデータをＡ／Ｄ変換するＡ／Ｄ変換器を有する信号処理部とから構成される。
【０００４】
つまり、センサで生成されたアナログデータは、接続ケーブルを介して信号処理部へ送信された後にＡ／Ｄ変換される。
【先行技術文献】
【特許文献】
【０００５】
【特許文献１】特開２００５−２２７２４１号公報
【発明の概要】
【発明が解決しようとする課題】
【０００６】
しかしながら、上記従来例における照射器具では、センサから送信される紫外線の照射強度に関するデータは、信号処理部が受信するまでの間はアナログデータで伝送され、信号処理部で受信された後にＡ／Ｄ変換されるため、アナログデータの伝送距離が長く、当該アナログデータがノイズの影響受けることで、信号処理部に紫外線の照射強度に関するデータが正しく伝送されない虞があった。
【０００７】
また、センサと信号処理部との距離を長くするために接続ケーブルの長さを長くすると、アナログデータの伝送距離が長くなってアナログデータがノイズの影響をより受け易くなってしまうことから、センサと信号処理部との間の距離を長くすることができないという問題があった。
【０００８】
また、センサを、工具等を用いることなく容易に交換することができる照射器具が望まれていた。
【０００９】
本発明は、上記事由に鑑みてなされたものであり、その目的は、センサから送出されるアナログデータがノイズの影響を受けることを低減でき、更に、センサと信号処理部との間の距離を長くすることができ、加えて、センサの交換を容易に行うことができる照射器具を提供することにある。
【課題を解決するための手段】
【００１０】
請求項１の発明は、光源と、光源の照射強度を測定して測定結果のアナログデータを送出するセンサと、一端がセンサに接続される第一の接続ケーブルと、第一の接続ケーブルの他端が接続されて第一の接続ケーブルを介してアナログデータを受信し、当該アナログデータをＡ／Ｄ変換してデジタルデータを送出するデータ変換手段と、一端がデータ変換手段に接続される第二の接続ケーブルと、第二の接続ケーブルの他端が接続され、第二の接続ケーブルを介してデジタルデータを受信する信号処理部とを備え、前記データ交換手段に設けられて第一の接続ケーブルの他端が挿抜自在に挿着される第一のコネクタと、前記データ交換手段に設けられて第二の接続ケーブルの一端が挿抜自在に挿着される第二のコネクタと、前記信号処理部に設けられて第二の接続ケーブルの他端が挿抜自在に挿着される第三のコネクタとの内、少なくともいずれか１つが設けられることを特徴とする。
【００１１】
この発明によれば、データ変換手段が、信号処理部とセンサとの間に配設されることで、アナログデータの伝送距離が短くなって当該アナログデータがノイズの影響を受けることを低減することができ、更に、デジタルデータの伝送距離が長くなることで、センサと信号処理部との間の距離を長くすることができる。
【００１２】
また、センサに接続された第一の接続ケーブルが、データ交換手段に対して挿抜可能に挿着される、若しくは、第一の接続ケーブルを介してセンサと接続されたアンプに対して、第二の接続ケーブルが挿抜自在に挿着されることで、センサの交換を容易に行うことができる。
【００１３】
請求項２の発明は、請求項１記載の発明において、前記光源は、紫外線を照射し、前記信号処理部は、受信するデジタルデータに基づいて光源の紫外線照射強度を制御する制御部を有することを特徴とする。
【００１４】
この発明によれば、制御部が、受信するデジタルデータに基づいて光源の紫外線照射強度を制御するフィードバック制御を行うことができる。
【発明の効果】
【００１５】
以上説明したように、本発明では、センサから送出されるアナログデータがノイズの影響を受けることを低減でき、更に、センサと信号処理部との間の距離を長くすることができ、加えて、センサの交換を容易に行うことができるという効果がある。
【図面の簡単な説明】
【００１６】
【図１】本発明の実施形態における照射器具のブロック図を示す。
【図２】（ａ）〜（ｃ）は、同上における照射器具のセンサ部を示し、（ａ）は、上断面図、（ｂ）は、第一側断面図、（ｃ）は、第二側断面図を示す。
【発明を実施するための形態】
【００１７】
以下、本発明の実施の形態を図面に基づいて説明する。
【００１８】
（実施形態）
従来から、紫外線が照射されることにより硬化する性質を有した紫外線硬化型インク（以下、ＵＶインクと称する）を、印刷ヘッドから吐出させる印刷機が知られており、本実施形態の照射器具は、例えば、上記印刷機によって印刷が施された印刷媒体に対して紫外線を照射することで、印刷媒体に付着したＵＶインクを硬化させるために用いられる。
【００１９】
照射器具は、図１に示すように、紫外線を照射する照射ヘッド１と、照射ヘッド１の紫外線照射強度を測定する紫外線センサ２と、一端が紫外線センサ２に接続される第一の接続ケーブル３と、第一の接続ケーブル３の他端が挿抜自在に挿着されるアンプ４と、一端がアンプ４に挿抜自在に挿着される第二の接続ケーブル５と、第二の接続ケーブル５の他端が挿抜自在に挿着される信号処理部６と、照射ヘッド１と信号処理部６とを接続する第三の接続ケーブル７とから構成される。
【００２０】
照射ヘッド１は、紫外線発光ダイオード（以下、ＵＶＬＥＤと称する）からなる光源１１と、光源１１を点灯させる点灯回路１２とから構成される。なお、ＵＶＬＥＤとは、Ｕｌｔｒａ  Ｖｉｏｒｅｔ  Ｌｉｇｈｔ  Ｅｍｉｔｔｉｎｇ  Ｄｉｏｄｅの略である。
【００２１】
紫外線センサ２は、図２に示すように、紫外線領域の光のみを透過させる略矩形平板状のフィルタ２１と、フィルタ２１が受光面に対向配置されるフォトダイオード２２と、フォトダイオード２２が実装されて第一の接続ケーブル３の一端が接続されるセンサ基板２３と、センサ基板２３が載置される略平板状のクッションゴム２４と、フィルタ２１、フォトダイオード２２、センサ基板２３、クッションゴム２４を収納してセンサ基板２３に対向する内面に絶縁紙２５が貼り付けられたケース２６とから構成される。以下、図２における上下左右を基準として説明を行う。なお、フォトダイオード２２と第一の接続ケーブル３とは、センサ基板２３を介して電気的に接続されている。
【００２２】
ケース２６は、略直方体状に形成され、下面に長手方向（図２における左右方向）に沿って凹部２６１ａが形成されるケース本体２６１と、ケース本体２６１の下面側に設けられて凹部２６１ａの開口に覆設される断面略コの字状のカバー２６２とから構成される。      
【００２３】
また、凹部２６１ａの底面には略矩形状の凹部２６１ｂが形成され凹部２６１ｂの略中央には挿通孔２６１ｃが穿設されている。
【００２４】
そして、フィルタ２１が凹部２６１ｂ内に配設され、その下方には、上面側にフォトダイオード２２が実装されたセンサ基板２３が配置されて、フォトダイオード２２の受光面がフィルタ２１に対向するように設けられている。更に、センサ基板２３の下面側にはクッションゴム２４が配設される。続いて、図示しないねじが、カバー２６２に形成される挿通孔２６２ａを挿通し、ベース２６１に穿設されるねじ孔２６１ｄに螺合することで、ベース２６１にカバー２６２が固定される。
【００２５】
そして、光源１１の光が挿通孔２６１ｂを介してフィルタ２１に入射すると、フィルタ２１は当該光に含まれる紫外線領域の光のみを選択的に透過させ、フォトダイオード２２がフィルタ２１を透過した光（紫外線）を受光する。続いて、フォトダイオード２２は、受光した紫外線の強度に応じた検知信号をセンサ基板２３に出力し、センサ基板２３は入力される検知信号に基づいて紫外線の強度に関するアナログデータを生成し、当該アナログデータを第一の接続ケーブル３へ送出する。
【００２６】
第一の接続ケーブル３は、一端が紫外線センサ２のセンサ基板２３に接続されて、他端にはプラグ型のコネクタ（以下、第一のプラグコネクタ３１と称す）が設けられている。
【００２７】
アンプ４は、第一の接続ケーブル３の第一のプラグコネクタ３１が挿抜自在に挿着されるソケット型のコネクタ（以下、第一のソケットコネクタ４１と称す）が設けられており、第一のソケットコネクタ４１に第一のプラグコネクタ３１が挿着される。そして、アンプ４は、第一の接続ケーブル３を介してアナログデータを受信し、当該受信したアナログデータを増幅した後にＡ／Ｄ変換する。
【００２８】
また、アンプ４には、第二の接続ケーブル５の一端に設けられるプラグ型のコネクタ（以下、第二のプラグコネクタ５１と称す）が挿抜自在に挿着されるソケット型のコネクタ（以下、第二のソケットコネクタ４２と称す）が設けられ、第二のソケットコネクタ４２に第二のプラグコネクタ５１が挿着されて第二の接続ケーブル５へデジタルデータを送出する。
【００２９】
更に、第二の接続ケーブル５は、他端にプラグ型のコネクタ（以下、第三のプラグコネクタ５２）が設けられ、当該第三のプラグコネクタ５２が信号処理部６に設けられるソケット型のコネクタ（以下、第三のソケットコネクタ６３と称す）に挿着されている。
【００３０】
信号処理部６は、例えばパソコン等が用いられ、第二の接続ケーブル５が接続される上記第三のソケットコネクタ６３と、第二の接続ケーブル５を介して受信するデジタルデータを格納する記憶部６１と、受信したデジタルデータに基づいて照射ヘッド１から照射される紫外線の照射強度を変化させるための制御信号を生成し、当該制御信号を第三の接続ケーブル７を介して照射ヘッド１へ送出する制御部６２とを備える。
【００３１】
ここで、一般的にＵＶＬＥＤは、点灯時間の経過に伴って出力される紫外線の照射強度が徐々に低下していくため、ＵＶインクによって印刷が施された印刷媒体に対して紫外線の照射を行う照射器具では、稼働時間の増加に伴ってＵＶインクを硬化させるために必要な紫外線の照射強度が不足し、印刷媒体に付着したＵＶインクを十分に硬化させることができなくなる虞がある。そのため、光源１１の紫外線照射強度を安定させる必要がある。
【００３２】
制御部６２は、デジタルデータを受信すると、当該デジタルデータと予め設定された閾値とを比較し、デジタルデータが閾値から外れている場合、第三の接続ケーブル７を介して照射ヘッド１の点灯回路１２へ制御信号を送出する。そして、制御信号を受信した点灯回路１２は、当該制御信号に基づいて光源１１の紫外線照射強度が所定の閾値に一致するように光源１１に対する供給電流値を変化させる。例えば、デジタルデータが所定の閾値を下回る場合、制御部６２は、光源１１に対する供給電流を増加させる制御信号を点灯回路１２へ送出し、デジタルデータが所定の閾値を上回る場合には、光源１１に対する供給電流を減少させる制御信号を点灯回路１２へ送出する。このように、制御部６２が、受信するデジタルデータに基づいて光源１１の紫外線照射強度を制御するフィードバック制御を行うことで、光源１１の紫外線照射強度が安定する。
【００３３】
上記構成からなる本実施形態の照射器具では、紫外線センサ２と信号処理部６との間にアンプ４が配設されることで、アナログデータの伝送距離が短くなってデジタルデータの伝送距離が長くなることから、紫外線センサ２から信号処理部６へ送信される紫外線照射強度に関するデータに対するノイズの影響を低減することができ、加えて、紫外線センサ２と信号処理部６との間の距離を長くすることができる。
【００３４】
また、紫外線センサ２が接続された第一の接続ケーブル３が、がアンプ４に挿抜自在に挿着される、若しくは、第一の接続ケーブル３を介して紫外線センサ２が接続されたアンプ４に対して第二の接続ケーブル５が挿抜自在に設けられることから、工具等を用いることなく紫外線センサ２の交換を容易に行うことができる。
【００３５】
なお、第一のプラグコネクタ３１と第一のソケットコネクタ４１、及び第二のプラグコネクタ５１と第二のソケットコネクタ４２、及び第三のプラグコネクタ５２と第三のソケットコネクタ６３とは、プラグ型コネクタとソケット型コネクタとの組み合わせが逆であってもよい。
【００３６】
また、本実施形態では、点灯回路１２が照射ヘッド１内に設けられているが、点灯回路１２は、信号処理部６内に設けられていてもよい。
【符号の説明】
【００３７】
２  紫外線センサ
３  第一の接続ケーブル
４  アンプ
５  第二の接続ケーブル
６  信号処理部
１１  光源
３１  第一のプラグコネクタ
４１  第一のソケットコネクタ
４２  第二のソケットコネクタ
５１  第二のプラグコネクタ
５２  第三のプラグコネクタ
６３  第三のソケットコネクタ
【図１】
2011114498.tif 000003
【図２】
2011114498.tif 000004